(57)【要約】【課題】そこで本発明の目的は、撮影者端末により撮影された撮影依頼と異なる画像が、撮影依頼された写真として登録される可能性を低減可能な仕組みを提供すること。【解決手段】ユーザからの被写体の撮影依頼情報を受け付けて、撮影者は被写体を撮影し、撮影した撮影画像をサーバに送信する。その後、サーバはユーザが撮影画像を承認するか否かを判断した結果を受信し、承認された場合には撮影画像として登録し、承認されなかった場合には撮影画像として登録しない。【選択図】図１０
2017112481.tif 000002
【特許請求の範囲】
【請求項１】
撮影依頼を示す撮影依頼情報を送信するクライアント端末と撮影者が操作する撮影者端末と通信可能な情報処理装置であって、
前記クライアント端末から、被写体の写真を含む撮影依頼情報を受信する撮影依頼受信手段と、
前記撮影依頼受信手段により受信された撮影依頼情報に含まれる写真を、前記撮影者端末に表示するべく送信する送信手段と、
前記撮影者端末から、撮影された撮影画像を受信する撮影画像受信手段と、
前記撮影画像受信手段により受信した撮影画像を含み、当該撮影画像を撮影依頼された写真として登録するか否かの指示を受け付ける受付画面を、前記クライアント端末に表示するべく送信する受付画面送信手段と、
前記受付画面送信手段により送信された前記受付画面を介して、ユーザにより、当該撮影画像を撮影依頼された写真として登録するか否かの指示を受け付けた受付結果を受信する結果受信手段と、
前記結果受信手段により受信した受付結果が、当該撮影画像を撮影依頼された写真として登録する指示である場合には、当該撮影画像を撮影依頼された写真として登録し、一方、
前記結果受信手段により受信した受付結果が、当該撮影画像を撮影依頼された写真として登録しない指示である場合には、当該撮影画像を撮影依頼された写真として登録しない登録手段と、
を備えることを特徴とする情報処理装置。
【請求項２】
前記撮影依頼受信手段により受信された撮影依頼情報は、撮影依頼する撮像画像の枚数を含み、
前記結果受信手段で、前記受付結果として、撮影依頼された写真として登録する指示を受け付けた撮影画像の枚数と、前記撮影依頼受信手段により受信した撮影依頼情報に含まれる撮像画像の枚数とに基づき算出される、前記撮影者が撮影すべき撮影枚数を、前記撮影者端末に通知する通知手段を更に備えることを特徴とする請求項１に記載の情報処理装置。
【請求項３】
前記通知手段は、更に、前記結果受信手段により受信した受付結果を、前記撮影者端末に通知することを特徴とする請求項２に記載の情報処理装置。
【請求項４】
前記撮影依頼受信手段により受信された撮影依頼情報は、複数の種別ごとに撮影依頼された撮像画像の依頼枚数を含み、
前記結果受信手段で、前記受付結果として、撮影依頼された写真として登録する指示を受け付けた同一種別の撮影画像の枚数と、前記撮影依頼受信手段により受信された撮影依頼情報に含まれる前記同一種別の撮像画像の依頼枚数とに基づいて、前記同一種別とは異なる種別における前記依頼枚数を変更する変更手段を更に備えることを特徴とする請求項１乃至３の何れか１項に記載の情報処理装置。
【請求項５】
前記変更手段は、前記結果受信手段で、前記受付結果として、撮影依頼された写真として登録する指示を受け付けた同一種別の撮影画像の枚数が、前記撮影依頼受信手段により受信された撮影依頼情報に含まれる前記同一種別の撮像画像の依頼枚数よりも多い場合に、前記同一種別とは異なる種別における前記依頼枚数を減らすことを特徴とする請求項４に記載の情報処理装置。
【請求項６】
前記変更手段は、前記結果受信手段で、前記受付結果として、撮影依頼された写真として登録する指示を受け付けた同一種別の撮影画像の枚数が、前記撮影依頼受信手段により受信された撮影依頼情報に含まれる前記同一種別の撮像画像の依頼枚数よりも少なく、かつ、前記同一種別とは異なる種別における前記依頼枚数を増やすための条件を満たす場合に、前記同一種別とは異なる種別における前記依頼枚数を増やすことを特徴とする請求項４又は５に記載の情報処理装置。
【請求項７】
前記同一種別とは異なる種別における前記依頼枚数を増やすための条件は、予め設定された時間が経過したかの条件、又は前記撮影者端末からの前記同一種別の撮影終了の指示を受け付けたかの条件を含むことを特徴とする請求項６に記載の情報処理装置。
【請求項８】
前記クライアント端末から、前記撮影者端末への撮影依頼を取り止めて前記撮影者端末とは異なる他の撮影者が操作する撮影者端末に撮影依頼の切替指示を示す撮影依頼切替情報を受信する切替受信手段を更に備え、
前記送信手段は、前記切替受信手段により前記撮影依頼切替情報を受信した場合に、前記他の撮影者が操作する撮影者端末に、前記撮影依頼受信手段により受信された撮影依頼情報に含まれる写真を、当該撮影者端末に表示するべく送信することを特徴とする請求項１乃至７の何れか１項に記載の情報処理装置。
【請求項９】
撮影依頼を示す撮影依頼情報を送信するクライアント端末と撮影者が操作する撮影者端末と通信可能な情報処理装置における情報処理方法であって、
撮影依頼受信手段が、前記クライアント端末から、被写体の写真を含む撮影依頼情報を受信する撮影依頼受信工程と、
送信手段が、前記撮影依頼受信工程により受信された撮影依頼情報に含まれる写真を、前記撮影者端末に表示するべく送信する送信工程と、
撮影画像受信手段が、前記撮影者端末から、撮影された撮影画像を受信する撮影画像受信工程と、
受付画面送信手段が、前記撮影画像受信工程により受信した撮影画像を含み、当該撮影画像を撮影依頼された写真として登録するか否かの指示を受け付ける受付画面を、前記クライアント端末に表示するべく送信する受付画面送信工程と、
結果受信手段が、前記受付画面送信工程により送信された前記受付画面を介して、ユーザにより、当該撮影画像を撮影依頼された写真として登録するか否かの指示を受け付けた受付結果を受信する結果受信工程と、
登録手段が、前記結果受信工程により受信した受付結果が、当該撮影画像を撮影依頼された写真として登録する指示である場合には、当該撮影画像を撮影依頼された写真として登録し、一方、前記結果受信工程により受信した受付結果が、当該撮影画像を撮影依頼された写真として登録しない指示である場合には、当該撮影画像を撮影依頼された写真として登録しない登録工程と、
を備えることを特徴とする情報処理方法。
【請求項１０】
撮影依頼を示す撮影依頼情報を送信するクライアント端末と撮影者が操作する撮影者端末と通信可能な情報処理装置で読み取り実行可能なプログラムであって、
前記情報処理装置を、
前記クライアント端末から、被写体の写真を含む撮影依頼情報を受信する撮影依頼受信手段と、
前記撮影依頼受信手段により受信された撮影依頼情報に含まれる写真を、前記撮影者端末に表示するべく送信する送信手段と、
前記撮影者端末から、撮影された撮影画像を受信する撮影画像受信手段と、
前記撮影画像受信手段により受信した撮影画像を含み、当該撮影画像を撮影依頼された写真として登録するか否かの指示を受け付ける受付画面を、前記クライアント端末に表示するべく送信する受付画面送信手段と、
前記受付画面送信手段により送信された前記受付画面を介して、ユーザにより、当該撮影画像を撮影依頼された写真として登録するか否かの指示を受け付けた受付結果を受信する結果受信手段と、
前記結果受信手段により受信した受付結果が、当該撮影画像を撮影依頼された写真として登録する指示である場合には、当該撮影画像を撮影依頼された写真として登録し、一方、
前記結果受信手段により受信した受付結果が、当該撮影画像を撮影依頼された写真として登録しない指示である場合には、当該撮影画像を撮影依頼された写真として登録しない登録手段として機能させることを特徴とするプログラム。
【発明の詳細な説明】
【技術分野】
【０００１】
本発明は、情報処理装置、情報処理方法、プログラムに関し、撮影者端末により撮影された撮影依頼と異なる画像が、撮影依頼された写真として登録される可能性を低減する技術に関するものである。
【背景技術】
【０００２】
近年、学校や企業で行われるイベント等の大勢が集まる状況において、撮影者がイベントの各演目にあわせて被写体を撮影し、撮影者が撮影した撮影画像の購入を希望するユーザは、イベント終了後に学校の掲示板やＷｅｂ上に公開された画像の中から、撮影画像を選択し購入することが行われていた。
【０００３】
しかしながら、撮影者がイベントの各演目にあわせて均等に被写体を撮影できるかは、撮影者の能力に依存しており、撮影者によっては、被写体ごとに撮影枚数にバラツキが生じることがあった。そうすると、撮影枚数が少ない被写体の撮影画像の購入を希望するユーザから不満が生じる恐れがあった。
【０００４】
そこで、特許文献１では、撮影装置に撮影対象となる被写体の様々な画像を登録し、撮影画像に対し被写体認証を行って、撮影画像を被写体単位で撮影枚数を集計、管理し、撮影枚数や比率が所定の範囲に入るように撮影をアシストする撮影システムが開示されている。
【先行技術文献】
【特許文献】
【０００５】
【特許文献１】特開２０１１−２１１６９５号公報
【発明の概要】
【発明が解決しようとする課題】
【０００６】
特許文献１に記載の技術を用いることにより、撮影者は、被写体を均等に撮影することが可能となるが、画像によっては、被写体の大きさが小さかったり、被写体の顔が横を向いていてほとんど写っていない等の理由により、撮影者により撮影された画像が必ずしも被写体の撮影画像の購入を希望するユーザが所望する画像でない場合があった。
【０００７】
本発明の目的は、撮影者端末により撮影された撮影依頼と異なる画像が、撮影依頼された写真として登録される可能性を低減可能な仕組みを提供することを目的とする。
【課題を解決するための手段】
【０００８】
本発明は、撮影依頼を示す撮影依頼情報を送信するクライアント端末と撮影者が操作する撮影者端末と通信可能な情報処理装置であって、前記クライアント端末から、被写体の写真を含む撮影依頼情報を受信する撮影依頼受信手段と、前記撮影依頼受信手段により受信された撮影依頼情報に含まれる写真を、前記撮影者端末に表示するべく送信する送信手段と、前記撮影者端末から、撮影された撮影画像を受信する撮影画像受信手段と、前記撮影画像受信手段により受信した撮影画像を含み、当該撮影画像を撮影依頼された写真として登録するか否かの指示を受け付ける受付画面を、前記クライアント端末に表示するべく送信する受付画面送信手段と、前記受付画面送信手段により送信された前記受付画面を介して、ユーザにより、当該撮影画像を撮影依頼された写真として登録するか否かの指示を受け付けた受付結果を受信する結果受信手段と、前記結果受信手段により受信した受付結果が、当該撮影画像を撮影依頼された写真として登録する指示である場合には、当該撮影画像を撮影依頼された写真として登録し、一方、前記結果受信手段により受信した受付結果が、当該撮影画像を撮影依頼された写真として登録しない指示である場合には、当該撮影画像を撮影依頼された写真として登録しない登録手段と、を備えることを特徴とする。
【０００９】
また、本発明の情報処理方法は、撮影依頼を示す撮影依頼情報を送信するクライアント端末と撮影者が操作する撮影者端末と通信可能な情報処理装置における情報処理方法であって、撮影依頼受信手段が、前記クライアント端末から、被写体の写真を含む撮影依頼情報を受信する撮影依頼受信工程と、送信手段が、前記撮影依頼受信工程により受信された撮影依頼情報に含まれる写真を、前記撮影者端末に表示するべく送信する送信工程と、撮影画像受信手段が、前記撮影者端末から、撮影された撮影画像を受信する撮影画像受信工程と、受付画面送信手段が、前記撮影画像受信工程により受信した撮影画像を含み、当該撮影画像を撮影依頼された写真として登録するか否かの指示を受け付ける受付画面を、前記クライアント端末に表示するべく送信する受付画面送信工程と、結果受信手段が、前記受付画面送信工程により送信された前記受付画面を介して、ユーザにより、当該撮影画像を撮影依頼された写真として登録するか否かの指示を受け付けた受付結果を受信する結果受信工程と、登録手段が、前記結果受信工程により受信した受付結果が、当該撮影画像を撮影依頼された写真として登録する指示である場合には、当該撮影画像を撮影依頼された写真として登録し、一方、前記結果受信工程により受信した受付結果が、当該撮影画像を撮影依頼された写真として登録しない指示である場合には、当該撮影画像を撮影依頼された写真として登録しない登録工程と、を備えることを特徴とする。
【００１０】
また、本発明のプログラムは、撮影依頼を示す撮影依頼情報を送信するクライアント端末と撮影者が操作する撮影者端末と通信可能な情報処理装置で読み取り実行可能なプログラムであって、前記情報処理装置を、前記クライアント端末から、被写体の写真を含む撮影依頼情報を受信する撮影依頼受信手段と、前記撮影依頼受信手段により受信された撮影依頼情報に含まれる写真を、前記撮影者端末に表示するべく送信する送信手段と、前記撮影者端末から、撮影された撮影画像を受信する撮影画像受信手段と、前記撮影画像受信手段により受信した撮影画像を含み、当該撮影画像を撮影依頼された写真として登録するか否かの指示を受け付ける受付画面を、前記クライアント端末に表示するべく送信する受付画面送信手段と、前記受付画面送信手段により送信された前記受付画面を介して、ユーザにより、当該撮影画像を撮影依頼された写真として登録するか否かの指示を受け付けた受付結果を受信する結果受信手段と、前記結果受信手段により受信した受付結果が、当該撮影画像を撮影依頼された写真として登録する指示である場合には、当該撮影画像を撮影依頼された写真として登録し、一方、前記結果受信手段により受信した受付結果が、当該撮影画像を撮影依頼された写真として登録しない指示である場合には、当該撮影画像を撮影依頼された写真として登録しない登録手段として機能させることを特徴とする。
【発明の効果】
【００１１】
本発明によれば、撮影者端末により撮影された撮影依頼と異なる画像が、撮影依頼された写真として登録される可能性を低減することができる。
【図面の簡単な説明】
【００１２】
【図１】本発明の撮影制御システムの一例を示すシステム構成図である。
【図２】図１に示した撮影制御装置１５０のハードウェア構成の一例を示すブロック図である。
【図３】図１に示した撮影制御装置１５０が備える機能モジュール構成の一例を示すブロック図である。
【図４】本発明の実施形態に係る装置間全体の動作を示すシーケンスチャートである。
【図５】本発明の実施形態に係る撮影対象を登録する際の動作の一例を示すシーケンスチャートである。
【図６】本発明の実施形態に係る撮影画像を配信する際の動作の一例を示すシーケンスチャートである。
【図７】本発明の実施形態に係る撮影画像の評価結果および撮影者へ通知する際の動作の一例を示すシーケンスチャートである。
【図８】撮影制御装置１５０の撮影対象登録処理を示すフローチャートの一例を示す図である。
【図９】撮影制御装置１５０の撮影画像配信処理を示すフローチャートの一例を示す図である。
【図１０】撮影制御装置１５０の撮影画像評価手順（承認手順）を示すフローチャートの一例を示す図である。
【図１１】撮影制御装置１５０に登録された撮影画像設定情報のデータテーブルの一例を示す図である。
【図１２】撮影画像受信装置１６０に表示される配信通知の画面の一例を示す図である。
【図１３】撮影画像受信装置１６０に表示される配信画像表示の画面の一例を示す図である。
【図１４Ａ】撮影画像配信装置１２０に表示される配信未達成の通知の一例を示す図である。
【図１４Ｂ】撮影画像配信装置１２０、撮影画像受信装置１６０に表示される撮影画像減算の通知の一例を示す図である。
【図１４Ｃ】撮影画像配信装置１２０に表示される配信画像承認の通知の一例を示す図である。
【図１５】撮影画像配信装置１２０に表示される撮影制御装置１５０に登録したユーザごとの配信画像一覧を表示する配信画像一覧画面１５００の一例を示す図である。
【図１６】撮影画像配信装置１２０に表示される撮影制御装置１５０に登録した配信画像一覧（ユーザ単位）を表示する配信画像一覧画面１６００の一例を示す図である。
【図１７】撮影画像配信装置１２０に表示される撮影画像表示の画面の一例を示す図である。
【図１８】撮影制御装置１５０の撮影画像評価手順（否認手順）を示すフローチャートの一例を示す図である。
【図１９Ａ】撮影画像配信装置１２０に表示される配信画像却下の通知の一例を示す図である。
【図１９Ｂ】撮影画像配信装置１２０、撮影画像受信装置１６０に撮影画像増算時に表示される通知の一例を示す図である。
【図２０】撮影画像受信装置１６０に表示される撮影依頼時の画面の一例を示す図である。
【図２１】撮影画像配信装置１２０から撮影画像を撮影制御装置１５０に登録時の画面の一例を示す図である。
【図２２】撮影制御装置１５０の撮影画像評価手順（否認手順）を示すフローチャートの一例を示す図である。
【図２３】図１に示した撮影画像配信装置１２０、撮影画像受信装置１６０に適用可能な情報処理端末のハードウェア構成の一例を示すブロック図である。
【発明を実施するための形態】
【００１３】
以下、図面を参照して、本発明の実施形態を詳細に説明する。
【００１４】
図１は、本発明の撮影制御システムの一例を示すシステム構成図である。
【００１５】
撮影制御装置１５０を含む、撮影制御システムの構成図であり、撮影制御装置１５０、撮影装置１１０、撮影画像配信装置１２０（撮影者端末）、撮影画像受信装置１６０（クライアント端末）、無線接続１３０、通信ネットワーク１４０からなる。
【００１６】
図１に示す撮影制御システムは、１又は複数の撮影画像配信装置１２０と、撮影制御装置１５０と、１又は複数の撮影画像受信装置１６０とが通信ネットワーク１４０などのネットワークを介して相互に通信可能に接続されている。
【００１７】
無線接続１３０は、撮影装置１１０、撮影画像配信装置１２０が接続するネットワークである。無線接続１３０は、無線ＬＡＮのことを示し、企業や家庭内でのネットワークを指すが、公衆回線であったり、Ｗｉ−Ｆｉ（登録商標）ネットワークであったりしてもかまわない。
【００１８】
本実施形態では、上記の通りであるが、撮影装置１１０が通信ネットワーク１４０に接続し、撮影制御装置１５０と通信してもよい。通信ネットワーク１４０における接続には、常時接続により双方向通信を行うことができるプロトコルの例としてＷｅｂＳｏｃｋｅｔを用いて実現することができる。
【００１９】
撮影装置１１０は、撮影機能、撮影画像（撮像画像ともいう）を撮影画像配信装置１２０へ送信する機能を有する。
【００２０】
撮影画像配信装置１２０は、撮影装置１１０で撮影した撮影画像を受信し、撮影制御装置１５０へ送信する機能、撮影制御装置１５０から通知を受信する機能を有する。
【００２１】
撮影制御装置１５０は、本発明における撮影制御装置であり、撮影装置１１０で撮影した撮影画像の送受信機能、制御機能、情報管理機能、画像特定機能を有する。また撮影者や、ユーザの情報を管理する機能を有する。
【００２２】
撮影画像受信装置１６０は、撮影制御装置１５０へ撮影対象となる指定画像を登録する機能、撮影画像の配信を受信する機能、撮影画像を評価する機能を提供することが可能である。
【００２３】
撮影装置１１０は、撮影者により利用される撮影装置であって、撮影者を一意に表すＩＤにて撮影画像配信装置１２０から撮影制御装置１５０にアクセスすることが可能である。
【００２４】
撮影画像受信装置１６０は、ユーザにより利用される撮影画像受信装置であって、撮影制御装置１５０から送信される撮影画像を受信することができ、ユーザを一意に表すＩＤにて撮影画像受信装置１６０から撮影制御装置１５０にアクセスすることが可能である。
【００２５】
撮影画像受信装置１６０を利用するユーザとは、撮影者が撮影した画像を購入する人物である。
【００２６】
次に、図２を用いて、図１に示した撮影制御装置１５０に適用可能なハードウェア構成について説明する。
【００２７】
図２は、図１に示した撮影制御装置１５０のハードウェア構成の一例を示すブロック図である。
【００２８】
ＣＰＵ２０１は、システムバス２０４に接続される各デバイスやコントローラを統括的に制御する。
【００２９】
ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、サーバ或いは各クライアントの実行する機能を実現するために必要な後述する各種プログラム等が記憶されている。
【００３０】
ＲＡＭ２０３は、ＣＰＵ２０１の主メモリ、ワークエリア等として機能する。
【００３１】
ＣＰＵ２０１は、処理の実行に際して必要なプログラム等をＲＡＭ２０３にロードして、プログラムを実行することで各種動作を実現するものである。
【００３２】
入力コントローラ（入力Ｃ）２０５は、キーボード２０９や不図示のマウス等のポインティングデバイスからの入力を制御する。
【００３３】
ビデオコントローラ（ＶＣ）２０６は、表示端末（ディスプレイ）２１０への表示を制御する。ディスプレイは、ＣＲＴディスプレイでも液晶ディスプレイ等でも構わない。
【００３４】
メモリコントローラ（ＭＣ）２０７は、ブートプログラム、ブラウザソフトウエア、各種のアプリケーション、フォントデータ、利用者ファイル、編集ファイル、各種データ等を記憶するハードディスク（ＨＤ）やフロッピー（登録商標）ディスク（登録商標）（ＦＤ）或いはＰＣＭＣＩＡカードスロットにアダプタを介して接続されるコンパクトフラッシュ（登録商標）メモリ等の外部メモリ２１１へのアクセスを制御する。
【００３５】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００３６】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。
【００３７】
また、ＣＰＵ２０１は、ディスプレイ２１０上の不図示のマウスカーソル等での利用者指示を可能とする。
【００３８】
本発明を実現するためのプログラムは外部メモリ２１１に記録されており、必要に応じてＲＡＭ２０３にロードされることによりＣＰＵ２０１によって実行されるものである。
【００３９】
さらに、本発明に係わるプログラムが用いる各種データ及び各種テーブルは外部メモリ２１１に格納されており、これらについての詳細な説明は後述する。
【００４０】
外部メモリ２１１は、通信に必要な設定データや、画像や動画などのコンテンツデータを記憶する。
【００４１】
入力コントローラ（入力Ｃ）２０５は、キーボード２０９や不図示のマウス等のポインティングデバイスからの撮影制御装置１５０を操作するための入力を制御する。
【００４２】
ディスプレイ２１０は、撮影制御装置１５０を操作するためのＧＵＩ（Ｇｒａｐｈｉｃａｌ  Ｕｓｅｒ  Ｉｎｔｅｒｆａｃｅ）を表示し、ビデオコントローラで制御される。
【００４３】
通信Ｉ／Ｆコントローラ（通信Ｉ／ＦＣ）２０８は、有線ＬＡＮ、無線ＬＡＮ、ＷＡＮ、インターネット、などを制御し、通信ネットワーク１４０を介して撮影画像配信装置１２０、撮影画像受信装置１６０と通信する。
【００４４】
次に、図２３は、本発明の実施形態における撮影画像配信装置１２０、撮影画像受信装置１６０のハードウェア構成を示す図である。撮影画像配信装置１２０、撮影画像受信装置１６０は、オペレーティングシステムを搭載する汎用装置である。本実施形態ではタブレット端末を想定して説明を行うが、パーソナルコンピュータやサーバであってもよいし、携帯端末（携帯電話、スマートフォン等）であってもよい。
【００４５】
ＣＰＵ２３０１は、システムバス２３０４に接続される各デバイスやコントローラを統括的に制御する。
【００４６】
また、ＲＯＭ２３０２あるいはフラッシュメモリ２３１４には、ＣＰＵ２３０１の制御プログラムであるＢＩＯＳ（Ｂａｓｉｃ  Ｉｎｐｕｔ  ／  ＯｕｔｐｕｔＳｙｓｔｅｍ）やオペレーティングシステムプログラム（以下、ＯＳ）や、撮影画像配信装置１２０、撮影画像受信装置１６０が実行する機能を実現するために必要な、後述する各種プログラム等が記憶されている。ＲＡＭ２３０３は、ＣＰＵ２３０１の主メモリ、ワークエリア等として機能する。
【００４７】
ＣＰＵ２３０１は、処理の実行に際して必要なプログラム等をＲＡＭ２３０３にロードして、プログラムを実行することで各種動作を実現するものである。
【００４８】
また、入力コントローラ２３０５は、タッチパネル２３１０、マイク２３１１、カメラ２３１２からの入力を制御する。タッチパネル２３１０からはユーザのタッチ操作に関する入力を制御し、マイク２３１１からは音声の入力を制御し、更にカメラ２３１２からは撮影された静止画や動画の入力を制御する。出力コントローラ２３０６は、タッチパネル２３１０、スピーカ２３１３への出力を制御する。
【００４９】
タッチパネル２３１０は、ユーザからのタッチ操作を検知すると共に、前述した出力コントローラ２３０６から送られた映像を表示する。タッチパネル２３１０は、表示器と位置入力装置とが一体となった部品である。複数の箇所に対するタッチ操作（以下、マルチタッチ）も検知可能である。
【００５０】
メモリコントローラ２３０７は、ブートプログラム、ブラウザソフトウエア、各種のアプリケーション、フォントデータ、ユーザファイル、編集ファイル、各種データ等を記憶するフラッシュメモリ２３１４へのアクセスを制御する。本実施形態においては、フラッシュメモリとして説明を行うが、ハードディスクやフレキシブルディスク或いはＰＣＭＣＩＡカードスロットにアダプタを介して接続されるカード型メモリ等の記憶媒体であってもよい。
【００５１】
通信Ｉ／Ｆコントローラ２３０９は、ネットワークを介して、外部機器と接続・通信するものであり、ネットワークでの通信制御処理を実行する。例えば、ＴＣＰ／ＩＰを用いたインターネット通信等が可能である。
【００５２】
センサコントローラ２３０８は、撮影画像配信装置１２０、撮影画像受信装置１６０が備えるセンサ２３１５からの入力を制御する。影画像配信装置１２０、撮影画像受信装置１６０のセンサ２３１５には様々なセンサが存在し、例えば方位センサ、加速度センサ等である。
【００５３】
尚、ＣＰＵ２３０１は、例えばＲＡＭ２３０３内の表示情報用領域へアウトラインフォントの展開（ラスタライズ）処理を実行することにより、タッチパネル２３１０上での表示を可能としている。
【００５４】
本発明の撮影画像配信装置１２０、撮影画像受信装置１６０が後述する各種処理を実行するために用いられる各種プログラム等はフラッシュメモリ２３１４に記録されており、必要に応じてＲＡＭ２３０３にロードされることによりＣＰＵ２３０１によって実行されるものである。さらに、本発明に係わるプログラムが用いる定義ファイルや各種情報テーブルはフラッシュメモリ２３１４に格納されている。
【００５５】
図３は、図１に示した撮影制御装置１５０に適用可能な情報処理端末の機能モジュール構成の一例を示すブロック図である。
【００５６】
撮影制御装置１５０は、送受信部３０１と、制御部３０２と、情報管理部３０３と、画像特定部３０４を備える。
【００５７】
送受信部３０１は、撮影画像配信装置１２０、撮影画像受信装置１６０とメッセージ、コンテンツの送受信等のメッセージ制御を行う。さらに、送受信を行うメッセージの生成を行い、送受信する機能を備えており、撮影者、ユーザとの通信におけるセッションの管理を行う機能を備える。
【００５８】
たとえば、ＷｅｂＳｏｃｋｅｔを用いている場合、撮影画像配信装置１２０、撮影画像受信装置１６０との常時接続の管理を行う。
【００５９】
制御部３０２は、撮影制御装置１５０が備える撮影制御にかかわる個々の機能モジュール全体を制御する。
【００６０】
制御部３０２では撮影者と撮影画像配信装置１２０と撮影制御装置１５０との通信ネットワーク１４０を介した常時接続のセッションの管理を行う。また、ユーザと撮影画像受信装置１６０と撮影制御装置１５０との通信ネットワーク１４０を介した常時接続のセッションの管理を行う。
【００６１】
情報管理部３０３は、撮影者、ユーザ、撮影画像配信装置および撮影画像受信装置との接続セッション情報、コンテンツに関わる情報管理制御を行う。
【００６２】
画像特定部３０４は、ユーザごとに登録されている指定画像と撮影装置から送られてくる撮影画像の特定処理を行う。
【００６３】
撮影画像の特定方法としては、例えば、顔領域で特定する場合、特開平９−１０１５７９号公報において開示された技術を適用することができる。また、この他に、特開２００３−２０９６８３号公報や特開２００２−１９９２２１号公報に記載される方法で顔領域を抽出することもできる。
【００６４】
図４は、本発明の実施形態に係る装置間全体の動作を示すシーケンスチャートである。
【００６５】
ステップＳ４０１において、撮影画像配信装置１２０と撮影制御装置１５０の通信接続を実施する。
【００６６】
ステップＳ４０２において、撮影画像受信装置１６０と撮影制御装置１５０の通信接続を実施する。ステップＳ４０１、ステップＳ４０２においては、たとえばＷｅｂＳｏｃｋｅｔにおける常時接続を用いることにより双方向通信が可能となる。
【００６７】
ステップＳ４０３において、撮影画像受信装置１６０と撮影制御装置１５０とが撮影対象登録を実施する。詳細は、図５に示す。
【００６８】
ステップＳ４０４において、撮影装置１１０で撮影された撮影画像を撮影画像配信装置１２０から撮影制御装置１５０へ送信され、撮影制御装置１５０で画像特定処理を実施し、特定された撮影画像の撮影画像受信装置１６０への送信を実施する。詳細は、図６に示す。
【００６９】
ステップＳ４０５において、撮影画像受信装置１６０に送信された撮影画像をユーザが評価し、評価結果を撮影制御装置１５０へ送信し、評価内容により撮影制御装置１５０は撮影画像配信装置への通知を実施する。詳細は、図７に示す。
【００７０】
図５は、本発明の実施形態に係る撮影対象を登録する際の動作の一例を示すシーケンスチャートである。
【００７１】
ステップＳ５０１において、撮影画像受信装置１６０は、撮影画像受信装置１６０のタッチパネル２３１０に撮影依頼の画面を表示し（図２０）、ユーザの操作（撮影依頼）を受け付ける。なお、撮影依頼の画面は、撮影画像受信装置１６０から撮影制御装置１５０に対して当該画面の取得要求を行うことにより、撮影制御装置１５０が生成し、撮影画像受信装置１６０にあらかじめ送信されているものとする。
【００７２】
ここで、図２０を用いて、ステップＳ５０１において、撮影画像受信装置１６０に表示される撮影依頼の画面について説明する。
【００７３】
図２０は、撮影画像受信装置１６０に表示される撮影依頼の画面の一例を示す図である。
【００７４】
図２０の撮影依頼画面２０００は、ユーザ名の入力欄２００１と、指定画像の入力欄２００２と、撮影条件２００３と、条件追加ボタン２００４と、依頼ボタン２００５と、キャンセルボタン２００６、参照ボタン２００７とが表示され、各項目の入力をユーザから受け付ける。
【００７５】
ユーザ名の入力欄２００１は、ユーザからユーザ名の入力を受け付けることで、ユーザ名の入力欄２００１にユーザから入力されたユーザ名が表示される。ユーザ名の入力欄２００１に入力されるユーザ名とは、撮影者に撮影をして欲しいユーザの名前である。
【００７６】
撮影画像受信装置１６０は、ユーザにより、入力欄２００２の参照ボタン２００７が押下されることで、撮影制御装置１５０の外部メモリ２１１などに記憶されたファイルのリストを含むエクスプローラ画面（不図示）を表示し、当該エクスプローラ画面を介してユーザによりファイルの選択を受け付けると、当該選択されたファイルの格納先（ファイルパス）が入力欄２００２に入力される。このようにして、撮影画像受信装置１６０は、撮影制御装置１５０に登録する指定画像の選択を受け付ける（ステップＳ５０１）。
【００７７】
なお、指定画像の入力欄２００２に登録するファイル（指定画像）とは、ユーザが撮影者に対して撮影を依頼するユーザ（つまり、ユーザ名の入力欄２００１に入力されるユーザ）の画像ファイルのことである。
【００７８】
撮影条件２００３には条件名、時間、希望枚数の入力を受け付ける。条件名には、例えば、運動会や競技、ダンスイベントなどにおける各演目を想定している。例えば、運動会を例にすると、条件Ａは体操、条件Ｂは徒競走、条件Ｃは玉入れとした場合、この条件ごとに何枚撮影して欲しいか（複数の種別ごとに撮影依頼された撮像画像の依頼枚数）を設定できる。時間欄にはその条件の実施時間の入力を受け付ける。
【００７９】
希望枚数欄には撮影希望枚数の入力を受け付ける。
【００８０】
条件追加ボタン２００４は、当該条件追加ボタン２００４がユーザにより押下されることで撮影条件の行が追加される。依頼ボタン２００５は、当該依頼ボタン２００５が押下されることで、撮影制御装置１５０の送受信部３０１に送信される（ステップＳ５０３）。
【００８１】
キャンセルボタン２００６は、当該キャンセルボタン２００６がユーザにより押下されることで、撮影依頼時の画面２０００の表示を終了する。以上で図２０の説明を終了し、図５の説明に戻る。
【００８２】
ステップＳ５０２において、撮影画像受信装置１６０は、撮影制御装置１５０へ指定画像を登録するため、指定画像（ユーザが当該撮影画像受信装置を用いて撮影した画像または撮影画像受信装置１６０に保存されている既存の画像）の選択を図２０の画面を介してユーザから受け付ける。
【００８３】
ステップＳ５０３において、撮影画像受信装置１６０は、ステップＳ５０２でユーザから選択を受け付けた指定画像と条件設定画面（図２０）（撮影依頼情報）を表示し、撮影条件設定を受け付ける。具体的に条件は、イベントなどの演目ごとに何枚などの設定がされる。設定完了後に、撮影画像受信装置１６０から撮影制御装置１５０へ送信する。
【００８４】
ステップＳ５０４において、撮影制御装置１５０は、送受信部３０１でステップＳ５０３で送信された指定画像と条件設定を受信し、制御部３０２へ指定画像受信通知を行う。
【００８５】
ステップＳ５０５において、撮影制御装置１５０は、指定画像と条件設定の受信通知を受信した制御部３０２は、情報管理部３０３へ指定画像登録を行うために指定画像と条件設定の登録要求を行う。
【００８６】
ステップＳ５０６において、撮影制御装置１５０の情報管理部３０３は指定画像と条件設定の登録要求を受信し、指定画像と条件設定の登録処理を行う。受信した指定画像と条件設定は撮影制御装置１５０の外部メモリ２１１に保存され、ユーザのユーザ情報と共に撮影画像と条件設定情報のデータテーブル１１００（図１１）に示すようなデータ構造にて管理される。登録処理完了後に制御部３０２に完了通知を行う（本発明における被写体の写真を含む撮影依頼情報を受信する撮影依頼受信手段の一例）。ステップＳ５０６の処理の詳細は、後述する図８で説明する。
【００８７】
ここで、撮影制御装置１５０の外部メモリ２１１に保存される撮影画像設定情報のデータテーブル１１００について説明する。
【００８８】
図１１は、撮影制御装置１５０の外部メモリ２１１に保存される撮影画像設定情報のデータテーブルの一例を示す図である。
【００８９】
撮影制御装置１５０のデータテーブル１１００は、撮影画像に関するユーザごとの指定画像、撮影枚数設定データ全体である。
【００９０】
ＩＤ１１０１は、本発明の撮影制御システムに登録されているユーザを一意に特定するＩＤである。ＩＤ１１０１と撮影画像受信装置１６０は紐付いている。
【００９１】
ユーザ名１１０２は、ＩＤ１１０１に登録されているユーザ名である。
【００９２】
指定画像１１０３は、ユーザが撮影者に配信を望む画像を指定する画像であり、撮影制御装置１５０にて指定画像登録時（図２０の画面を介してユーザが指定画像を登録時）に割り当てられる名称である。
【００９３】
撮影枚数設定１１０４は、図２０の画面を介してユーザが条件ごとに撮影を望む撮影枚数を設定することで登録される情報である。
【００９４】
条件１１０５は、図２０の画面を介してユーザが設定する条件ごとに撮影を望む枚数の設定である。ただし、条件数は撮影状況により撮影制御システムにおいて変更されるものである。
【００９５】
条件１１０５は、例えば運動会を例にすると、条件Ａは体操、条件Ｂは徒競走、条件Ｃは玉入れなどである。この条件毎に何枚撮影して欲しいかを設定できる。
【００９６】
以上で図５の説明を終了する。次に図６を用いて、図４の撮影画像配信シーケンス（ステップＳ４０４）について説明する。
【００９７】
図６は、本発明の実施形態に係る撮影画像を配信する際の動作の一例を示すシーケンスチャートである。
【００９８】
ステップＳ６０１において、撮影装置１１０は、撮影者の操作に従って無線接続１３０により当該撮影装置１１０で撮影した撮影画像を撮影画像配信装置１２０へ送信する。
【００９９】
ステップＳ６０２において、撮影画像配信装置１２０は、撮影画像を受信する（本発明における撮影者端末から撮影された撮影画像を受信する撮影画像受信手段の一例）。
【０１００】
ステップＳ６０３において、撮影画像配信装置１２０は、撮影者から撮影画像の選択を受け付け、撮影制御装置１５０へ送信する。なお、他の実施例として、撮影者から撮影画像の選択を受け付けることなく、撮影装置１１０からの撮影画像の受信を契機に撮影制御装置１５０へ送信を実施しても良い。
【０１０１】
ステップＳ６０４において、撮影制御装置１５０の送受信部３０１が撮影画像を受信する。
【０１０２】
ステップＳ６０５において、撮影制御装置１５０の送受信部３０１は制御部３０２へ撮影画像受信通知を実施する。
【０１０３】
ステップＳ６０６において、撮影制御装置１５０の制御部３０２は撮影画像制御を実施する。具体的には、撮影画像を保存し、画像特定を実施し、特定された撮影画像を送信すべき撮影画像受信装置１６０への送信制御を行う。ステップＳ６０６の処理の詳細は図９を用いて後ほど説明する。
【０１０４】
ステップＳ６０７において、撮影制御装置１５０の制御部３０２は、撮影画像保存要求を撮影制御装置１５０の情報管理部３０３へ送信する。
【０１０５】
ステップＳ６０８において、撮影制御装置１５０の情報管理部３０３は、撮影画像保存処理を実施する。具体的には撮影画像を外部メモリ２１１へ保存し、保存完了の通知を撮影制御装置１５０の制御部３０２へ行う。
【０１０６】
ステップＳ６０９において、撮影制御装置１５０の制御部３０２は撮影制御装置１５０の画像特定部３０４へ撮影画像特定要求を実施する。
【０１０７】
ステップＳ６１０において、撮影制御装置１５０の画像特定部３０４は撮影画像特定処理を実施する。撮影画像と、ステップＳ５０６の指定画像登録処理にて登録した指定画像の中で当該撮影画像に写っているユーザとユーザが一致する指定画像の特定を実施する。
【０１０８】
ステップＳ６１１において、撮影制御装置１５０の画像特定部３０４は、情報管理部３０３へ指定画像を取得するため、撮影制御装置１５０の情報管理部３０３に指定画像送信要求を実施する。
【０１０９】
ステップＳ６１２において、撮影制御装置１５０の情報管理部３０３は指定画像を外部メモリ２１１から取得し、画像特定部３０４へ送信する。
【０１１０】
ステップＳ６１３において、撮影制御装置１５０の画像特定部３０４は撮影画像に写っているユーザとユーザが一致する指定画像の特定を行う。
【０１１１】
ステップＳ６１３における指定画像の特定処理にて、撮影画像に写っているユーザとユーザが一致する指定画像が特定された場合は、ステップＳ６１４において指定画像を登録した撮影画像受信装置１６０へ撮影画像を配信する。特定されない場合は他の指定画像を撮影制御装置１５０の情報管理部３０３から取得し画像特定処理を繰り返し行う。特定処理完了後に撮影制御装置１５０の制御部３０２へ完了通知を行う。
【０１１２】
ステップＳ６１４において、撮影制御装置１５０の制御部３０２は、ステップＳ６１０における画像特定処理にて特定された場合、撮影画像を送信するために撮影画像送信要求を送受信部３０１へ行う。
【０１１３】
ステップＳ６１５において、撮影制御装置１５０の送受信部３０１は、撮影画像受信装置１６０へ撮影画像を送信する（本発明における撮影画像を撮影依頼された写真として登録するか否かの指示を受け付ける受付画面を、前記クライアント端末に表示するべく送信する受付画面送信手段の一例）。
【０１１４】
ステップＳ６１６において、撮影画像受信装置１６０は撮影画像を受信し、撮影画像受信装置１６０内に保存する。以上で、図６の説明を終了する。次に、図７を用いて、図４のステップＳ４０５の処理の詳細について説明する。
【０１１５】
図７は、本発明の実施形態に係る撮影画像の評価結果および撮影者へ通知する際の動作の一例を示すシーケンスチャートである。
【０１１６】
ステップＳ７０１において、撮影画像受信装置１６０はユーザの操作を受け付ける。ステップＳ７０１でユーザから受け付けた操作が配信画像の表示要求である場合に、撮影画像受信装置１６０はステップＳ７０２以降の処理を実行する。
【０１１７】
なお、本実施例において、配信画像の表示要求は、撮影者が当該ユーザからの撮影依頼に従って撮影依頼の対象となっているユーザを撮影し、撮影画像配信装置１２０から撮影制御装置１５０にユーザの画像を登録したあとに、撮影制御装置１５０から撮影依頼を行ったユーザに対して送信されるメール（撮影依頼の対象となっているユーザの写真が登録された旨のメール）から撮影制御システムにアクセスし、行うものとする。
【０１１８】
ステップＳ７０２において、撮影画像受信装置１６０は、ユーザ操作に従って、撮影画像評価を実施する。具体的には、撮影画像受信装置１６０は、配信画像表示の画面１２００（図１２）を当該撮影画像受信装置１６０のタッチパネル２３１０に表示し、配信画像が所望の画像であるかをユーザが目で見て確認した後、ユーザから承認または却下の撮影画像評価結果を受け付け、その結果を送信する。
【０１１９】
ここで、ステップＳ７０２において撮影画像受信装置１６０のタッチパネル２３１０に表示される配信画像表示の画面について説明する。
【０１２０】
図１２は、撮影画像受信装置１６０がステップＳ７０２で表示される配信通知の画面の一例を示す図である。
【０１２１】
撮影画像受信装置画面１２００は、撮影画像受信装置１６０が撮影制御装置１５０から撮影画像を受信した場合に表示される画面である。画面には、撮影イベントを識別する名称と写真番号が表示される。写真番号を選択すると配信画像表示画面１３００（図１３）を確認することができる。
【０１２２】
配信された画像は、配信通知画面１２００から確認してもよいし、撮影画像受信装置１６０撮影画像が配信されてもよい。また、条件ごとに撮影画像が配信されてもよいし、一枚ずつ配信されてもよい。
【０１２３】
図１３は、撮影画像受信装置１６０のタッチパネル２３１０に表示される配信画像表示の画面の一例を示す図である。
【０１２４】
配信画像表示画面１３００は、撮影制御装置１５０から配信された画像を表示する画面である。
【０１２５】
画像画面１３０１は、撮影制御装置１５０から配信された画像を表示することができる。
【０１２６】
承認ボタン１３０２は、ユーザが配信画像に対し承認したい場合に、当該承認ボタン１３０２の押下をユーザから受け付けることで承認という撮影評価を送信することができる。なお、承認ボタン１３０２押下後には複数回の押下を避けるため、Ｄｉｓａｂｌｅにするなどの制御をしてもよい。
【０１２７】
却下ボタン１３０３は、ユーザが配信画像に対し却下したい場合に、当該否認ボタン１３０３の押下をユーザから受け付けると、却下という撮影評価を撮影制御装置１５０に送信することができる。却下ボタン１３０３をユーザが押下後には複数回の押下を避けるため、Ｄｉｓａｂｌｅにするなどの制御をしてもよい。
【０１２８】
他の撮影者へ依頼チェックボックス１３０４は、ユーザが配信画像に対し却下したい場合に却下ボタン１３０３のチェックの選択をユーザから受け付けることで、本配信画像の撮影者に却下通知を送ると共に、本配信画像の撮影者とは別の撮影者へ撮影依頼の対象となっているユーザの撮影依頼を送信することを撮影制御装置１５０へ依頼することができる。
【０１２９】
コメント文１３０５は、承認ボタン１３０２または却下ボタン１３０３を選択時にユーザからコメントの入力を受け付けることにより、承認、または否認の要求と共に当該コメント文１３０５に入力されたコメントを撮影制御装置１５０へ送信することができる。
【０１３０】
閉じるボタン１３０６は、当該閉じるボタン１３０６の押下をユーザから受け付けることにより配信画像表示画面１３００を終了することができる。以上で、図１３の説明を終了し、図７の説明に戻る。
【０１３１】
ステップＳ７０３において、ユーザから入力を受け付けた承認または却下の撮影画像評価結果を送信する際に図１３の１３０５の入力も受け付けることにより、コメントを付加した撮影画像評価結果をする。
【０１３２】
ステップＳ７０４において、撮影画像受信装置１６０は、撮影制御装置１５０へ撮影画像評価結果の送信を実施する。撮影画像評価結果には、承認または却下、却下時に他の撮影者へ依頼するか否か、コメントが含まれる。
【０１３３】
ステップＳ７０５において、撮影制御装置１５０の送受信部３０１は撮影画像評価結果を受信し、当該撮影画像評価結果を制御部３０２へ送信する。
【０１３４】
ステップＳ７０６において、撮影制御装置１５０の制御部３０２は撮影評価制御を実施する。撮影画像受信装置１６０から受信した撮影画像評価結果の登録処理、撮影条件確認処理、撮影条件に対する撮影状況により撮影画像配信装置への通知処理を実施する。たとえば、撮影条件はイベントにおける演目ごとに設定し、演目終了時刻をもとに通知処理の契機を設定することができる。ステップＳ７０６の処理の詳細は、図１０を用いて後ほど説明する。
【０１３５】
ステップＳ７０７において、撮影制御装置１５０の制御部３０２は、撮影画像評価結果を保存するため情報管理部３０３へ撮影評価登録要求を送信する。
【０１３６】
ステップＳ７０８において、撮影制御装置１５０の情報管理部３０３は撮影評価登録処理を行う。撮影画像受信装置１６０へ配信されたユーザの撮影画像に対する評価を保存する。
【０１３７】
評価結果は撮影制御装置１５０の外部メモリ２１１に保存され、ユーザは、撮影制御システムにアクセスし、配信画像一覧（ユーザ単位）を表示する配信画像一覧画面１６００（図１６）の評価結果１６０５を参照することによりで確認できる。
【０１３８】
ステップＳ７０９において、撮影制御装置１５０の制御部３０２は撮影条件確認処理を行う。指定画像登録時に設定した撮影条件を満たしているか確認を行う。
【０１３９】
ステップＳ７１０において、撮影制御装置１５０の制御部３０２は撮影条件確認処理にて撮影条件を満たしていない場合、条件未達成通知（図１４Ａ）を撮影制御装置１５０の送受信部３０１へ送信する。
【０１４０】
ステップＳ７１１において、撮影制御装置１５０の送受信部３０１は撮影画像配信装置１２０へ配信数、条件未達成通知（図１４Ａ）を行う。
【０１４１】
ステップＳ７１２において、撮影制御装置１５０の制御部３０２は撮影画像評価結果が却下であった場合には、却下通知を送受信部３０１へ送信する。
【０１４２】
ステップＳ７１３において、撮影制御装置１５０の送受信部３０１は撮影画像配信装置１２０へ却下通知（図１９Ａ）を行う。
【０１４３】
撮影画像配信装置１２０で却下通知（図１９Ａ）を受信した場合、撮影者の操作に従って写真ＮＯから撮影画像表示の画面１７００（図１７）にアクセスすることができ、指定画像、配信画像、コメントを参考に、再撮影の参考とすることができる。
【０１４４】
ステップＳ７１４において、撮影制御装置１５０の送受信部３０１は、撮影画像配信装置１２０へ承認通知（図１４Ｃ）を行う（本発明における受付画面送信手段により送信された前記受付画面を介して、ユーザにより、当該撮影画像を撮影依頼された写真として登録するか否かの指示を受け付けた受付結果を受信する結果受信手段の一例）。
【０１４５】
以上で図７の説明を終了し、次に図７のステップＳ７１３、ステップＳ７１４等で撮影画像配信装置１２０のタッチパネル２３１０に表示される図１４の画面について説明する。
【０１４６】
図１４Ａは、撮影画像配信装置１２０に表示される配信未達成の通知の一例を示す図である。
【０１４７】
配信／条件未達成通知１４００は、ユーザへの配信および各撮影条件における承認された撮影枚数が未達成の場合、撮影画像配信装置に通知される画面である。
【０１４８】
図１４Ｂは、撮影画像配信装置１２０、撮影画像受信装置１６０に表示される撮影画像減算の通知の一例を示す図である。図１４Ｂは後述する図１０のステップＳ１０１０で撮影画像受信装置１６０に表示される通知である。
【０１４９】
図１４Ｃは、撮影画像配信装置１２０に表示される配信画像承認の通知の一例を示す図である。
【０１５０】
図１６は、撮影画像配信装置１２０に表示される撮影制御装置１５０に登録した配信画像一覧（ユーザ単位）を表示する配信画像一覧画面１６００の一例を示す図である。
【０１５１】
配信画像一覧（ユーザ単位）１６００は、ユーザ単位における配信枚数、配信画像に対する評価状況を確認することができる。
【０１５２】
ユーザ名１６０１は、撮影制御装置に登録されているユーザであり、一意に特定できるユーザの名称である。
【０１５３】
配信枚数１６０２は、ユーザ名１６０１へ撮影制御装置から配信された撮影画像配信枚数であり、撮影条件ごとの配信状況を確認することができる。
【０１５４】
写真ＮＯ１６０３は、撮影制御装置で管理されている撮影画像の番号であり、イベントごとなどにおいて一意に管理されている。
【０１５５】
撮影条件１６０４は、撮影画像が合致した際の撮影条件である。
【０１５６】
評価結果１６０５は、ユーザ名１６０１に表示されるユーザへ配信された際の評価結果である。
【０１５７】
評価コメント１６０６は、ユーザ名１６０１に表示されるユーザへ配信された際の評価時に付与されたコメントである。
【０１５８】
閉じるボタン１６０７は、配信画像一覧画面（ユーザ単位）１６００を終了することができる。
【０１５９】
図１７は、撮影画像配信装置１２０のタッチパネル２３１０に表示される撮影画像表示の画面の一例を示す図である。
【０１６０】
撮影画像表示の画面１７００は、写真ごとの配信状況、配信結果を確認することができる。
【０１６１】
写真ＮＯ１７０１は、撮影制御装置で管理されている撮影画像の番号であり、イベントごとなどにおいて一意に管理されている。
【０１６２】
評価結果１７０２は、写真ＮＯ１７０１がユーザへ配信されて、ユーザが評価している場合の評価結果が表示される。
【０１６３】
指定画像１７０３は、撮影画像が撮影制御装置の特定処理にて指定画像と合致した際にその指定画像が表示される。
【０１６４】
配信画像１７０４は、写真ＮＯ１７０１にある撮影画像である。
【０１６５】
コメント１７０５は、評価結果１７０２にある評価がされた際に、ユーザにて付与されたコメントである。
【０１６６】
閉じるボタン１７０６は、撮影画像表示の画面１７００を終了するボタンである。以上で、図１７の説明を終了する。
【０１６７】
次に、図８を用いて図５のステップＳ５０６の処理の詳細について説明する。
【０１６８】
図８は、図５のステップＳ５０６における撮影制御装置１５０の撮影対象登録処理を示すフローチャートの一例を示す図である。
【０１６９】
ステップＳ８０１において、撮影制御装置１５０の送受信部３０１は撮影画像受信装置１６０から指定画像を受信し、撮影制御装置１５０の制御部３０２に指定画像受信を通知する。ユーザは撮影画像受信装置１６０を使用して指定画像を送信時に指定画像が登録済の場合、指定画像を更新するか否かの設定を行うことができる。
【０１７０】
ステップＳ８０２において、撮影制御装置１５０の情報管理部３０３は指定画像の登録状況として、既に指定画像が登録されているかの確認を行う。
【０１７１】
ステップＳ８０３において、撮影制御装置１５０の情報管理部３０３は指定画像が未登録であるか否かを判定する。情報管理部３０３は指定画像が未登録であると判定された場合（ステップＳ８０３：ＹＥＳ）、ステップＳ８０５に移行する。一方、指定画像が登録済であると判定された場合（ステップＳ８０３：ＮＯ）、ステップＳ８０４に移行する。
【０１７２】
ステップＳ８０４において、情報管理部３０３は指定画像が登録済の場合、ステップＳ８０１において撮影画像受信装置１６０から指定画像を受信時に登録済の場合に更新する設定がされていた場合（ステップＳ８０４：ＹＥＳ）、ステップＳ８０５に移行する。一方、更新が不要である場合（ステップＳ８０４：ＮＯ）、本処理を終了する。
【０１７３】
ステップＳ８０５において、撮影制御装置１５０の情報管理部３０３は指定画像を撮影制御装置１５０の外部メモリ２１１に格納する。
【０１７４】
ステップＳ８０６において、撮影制御装置１５０の情報管理部３０３は指定画像を図１１の１１００のデータとしてユーザごとに関連付けて管理する。そして、撮影制御装置１５０の制御部３０２へ指定画像登録完了を通知する。
【０１７５】
ステップＳ８０７において、撮影制御装置１５０の制御部３０２は撮影画像受信装置１６０へ撮影条件設定画面を送信し、ユーザが実施した撮影条件設定を、撮影制御装置１５０が受け付ける。
【０１７６】
図９は、撮影制御装置１５０の撮影画像配信処理（図６のステップＳ６０６）を示すフローチャートの一例を示す図である。
【０１７７】
ステップＳ９０１において、送受信部３０１は撮影画像配信装置１２０から撮影画像を受信し、制御部３０２へ撮影画像受信通知を行い、情報管理部３０３へ撮影画像の保存を要求する。情報管理部３０３は撮影画像を撮影制御装置１５０の外部メモリ２１１へ保存する。情報管理部３０３は撮影画像保存完了を制御部３０２へ通知する。
【０１７８】
ステップＳ９０２において、制御部３０２は画像特定部３０４へ撮影画像と指定画像の画像特定処理を行う撮影画像特定要求を行い、外部メモリ２１１に保存されている指定画像に対し、ステップＳ９０３、ステップＳ９０４、ステップＳ９０５における画像特定処理を繰り返し行う。全ての指定画像に対して画像特定処理を行った場合、ステップＳ９０６に移行する。
【０１７９】
ステップＳ９０３において、画像特定部３０４は情報管理部３０３から指定画像を取得する。
【０１８０】
ステップＳ９０４において、画像特定部３０４は撮影画像とステップＳ９０３で取得した指定画像の画像特定処理を行う。具体的には撮影画像に写っている被写体と指定画像に写っている被写体が同一であるかを比較することで、撮影画像がどの指定画像と一致するか、つまり撮影画像がどの被写体（図１１のユーザ名１１０２や、図１５のユーザ名１５０１）を撮影した画像であるかを特定する。
【０１８１】
ステップＳ９０５において、画像特定部３０４はステップＳ９０４で実施した画像特定処理の結果が指定画像に合致しない場合（ステップＳ９０５：ＹＥＳ）、次の指定画像に対してステップＳ９０２に移行する。一方、指定画像に合致した場合（ステップＳ９０５：ＮＯ）、ステップＳ９０６に移行する。
【０１８２】
ステップＳ９０６において、画像特定部３０４はステップＳ９０２における画像特定処理の結果、撮影画像が指定画像に合致した場合（ステップＳ９０６：ＹＥＳ）、ステップＳ９０７に移行する。一方、撮影画像が指定画像に合致しない場合（ステップＳ９０６：ＮＯ）、Ｓ９１１に移行する。
【０１８３】
ステップＳ９１１において、画像特定部３０４は撮影画像を特定のユーザ領域ではない、特定ユーザ外の共通領域に撮影画像を保存する。
【０１８４】
ステップＳ９０７において、画像特定部３０４は、まず、ステップＳ９０４で特定された指定画像と一致する図１１のデータテーブル中の指定画像１１０３を特定し、次に当該指定画像１１０３に対応するＩＤ１１０１に紐付く撮影画像受信装置１６０を特定することにより、指定画像を登録した撮影画像受信装置１６０を特定する。
【０１８５】
ステップＳ９０８において、画像特定部３０４は補助記憶装置内の特定したユーザの領域に撮影画像を保存し、制御部３０２へ画像特定結果および特定したユーザ情報を通知する。
【０１８６】
ステップＳ９０９において、制御部３０２はステップＳ９０８で通知を受けた画像特定結果および特定したユーザ情報から撮影画像受信装置１６０との接続におけるセッション情報を取得し、情報管理部３０３から撮影画像を取得し撮影画像受信装置１６０へ配信する。
【０１８７】
ステップＳ９１０において、制御部３０２はステップＳ９０９にて撮影画像受信装置１６０へ配信し、ステップＳ９０７で特定したユーザと図１５の１５０１が一致するユーザの各条件１５０３の中から、配信画像の撮影時刻と時刻（図２０の撮影条件２００３中の「時間」の欄）が一致する条件１５０３の配信カウント数を１増やす。配信カウントは、図１５の配信画像一覧ユーザごと１５００にて確認することができる。
【０１８８】
図１５は、管理者ごとに管理されており、撮影画像配信装置１２０に表示される撮影制御装置１５０に登録したユーザごとの配信画像一覧を表示する配信画像一覧画面１５００の一例を示す図である。図１５に対応するデータテーブル（不図示）が撮影制御装置１５０に記憶されている。そのデータテーブルは、図１１の情報を元に作成され、１５０１〜１５０７に加えて、ユーザ名と各種条件ごとに撮影された画像と、当該画像の写真ＮＯと評価結果、評価コメントが紐付いて管理されている。
【０１８９】
配信画像一覧（ユーザごと）１５００は、ユーザごとにおける配信数、却下数、条件承認数を確認することができる画面である。撮影者、撮影制御装置１５０の管理者、ユーザが撮影制御システムにアクセスすることで撮影状況を確認することができる。たとえば、撮影者の利用している撮影画像配信装置１２０が却下通知を受信した際に、撮影画像配信装置１２０が本画面にアクセスする。配信画像一覧（ユーザごと）１５００（図１５）は、撮影条件ごとに枚数設定されており、撮影枚数が足りない場合は優先して撮影し、撮影枚数が足りているが承認数が不足している場合は追加撮影するなどの判断を行うことが可能となる。
【０１９０】
ユーザ名１５０１は、撮影制御装置に登録されているユーザであり、一意に特定できるユーザの名称である。
【０１９１】
配信数１５０２は、各ユーザが登録した指定画像に対する撮影画像の配信数である。
【０１９２】
条件１５０３は、ユーザからの撮影依頼時に設定されている条件であり、条件１５０３は複数設定することができる。なお、条件Ａ〜Ｃは、ユーザ名１５０１ごとに異なる。
【０１９３】
条件１５０３の分母は、図２０の２００３の撮影条件で設定された撮影希望枚数である。例えば、ユーザ名１５０１がＵｓｅｒ１の条件Ｂの場合を例にあげると、撮影希望枚数４枚に対し、配信数１５０３が５枚、承認数１５０６が２枚、未回答３枚（うち１枚は、却下かもしれない）、残り枚数１５０７は、ユーザ単位で撮影希望枚数に基づき算出され５枚となる。未回答とは、配信画像表示画面１３００（図１３）を確認していない場合である。
【０１９４】
却下数１５０４は、撮影制御装置から配信された画像に対するユーザの評価結果が却下であった回数である。
【０１９５】
条件承認数１５０５は、撮影制御装置から配信された画像に対するユーザの評価結果が承認であった回数である。条件ごとに承認数を確認することができる。
【０１９６】
条件１５０６は、条件承認数１５０５は各条件にて集計が可能であり、その条件の１つである。条件は複数集計することができる。
【０１９７】
残り枚数１５０７はユーザごとに残り撮影しなくてはいけない枚数が表示される。
【０１９８】
閉じるボタン１５０８は、配信画像一覧画面１５００を終了するボタンである。以上で、図１５の説明を終了する。
【０１９９】
次に図１０を用いて、ステップＳ７０６の処理の詳細について説明する。
【０２００】
図１０は、撮影制御装置１５０の撮影画像評価手順（承認手順）を示すフローチャートの一例を示す図である。
【０２０１】
ステップＳ１００１において、送受信部３０１は、ステップＳ７０４で撮影画像受信装置１６０から送信される配信画像に対する評価結果を受信する。評価結果を受信した送受信部３０１は制御部３０２へ評価結果を通知する。（ステップＳ１００１は、本発明における、受付画面送信手段により送信された前記受付画面を介して、ユーザにより、当該撮影画像を撮影依頼された写真として登録するか否かの指示を受け付けた受付結果を受信する結果受信手段の一例である）
【０２０２】
ステップＳ１００２において、評価結果を受信した制御部３０２は、情報管理部３０３へ評価結果を格納するため撮影評価登録要求を行い、撮影評価登録要求を受信した情報管理部３０３は撮影画像を管理している図１５に対応するデータテーブル（付図示）に格納する。
【０２０３】
ステップＳ１００３において、制御部３０２は情報管理部３０３への評価結果の格納後に、評価結果の確認を行う。制御部３０２は評価結果が承認の場合（Ｓ１００３：ＹＥＳ）、ステップＳ１００４に移行する。一方、評価結果が却下の場合（Ｓ１００３：ＮＯ）、ステップＳ１０１３の否認処理に移行する。ステップＳ１０１３の処理の詳細については後述する図１８で説明する。
【０２０４】
ステップＳ１００４において、制御部３０２はユーザにおいて撮影画像が承認されたことから、ステップＳ９０７で特定したユーザと図１５の１５０１が一致するユーザの中から、一致する撮影画像の条件における承認カウント数である図１５の１５０５条件承認数の１５０６条件を１増やす。
【０２０５】
ステップＳ１００５において、制御部３０２は条件設定達成状況を確認する。
【０２０６】
ステップＳ１００６において、制御部３０２は条件設定満たしているか否かを判定する。条件設定を満たしていないと判定された場合（ステップＳ１１０６：ＮＯ）、未達の旨の情報を含む承認通知を撮影画像配信装置１２０に送信する（ステップＳ１０１２）。
【０２０７】
一方、条件設定を満たしていると判定された場合（ステップＳ１１０６：ＹＥＳ）、条件設定以上か否かを判定する（ステップＳ１００７）。
【０２０８】
条件設定以上でないと判定された場合（ステップＳ１００７：ＮＯ）、承認通知を撮影画像配信装置１２０に送信する（ステップＳ１０１１）。
【０２０９】
一方、条件設定以上であると判定された場合（ステップＳ１００７：ＹＥＳ）、未達の他の条件設定（同一種別とは異なる種別）があるか否かを判定する（ステップＳ１００８）。他の条件設定があると判定された場合（ステップＳ１００８：ＹＥＳ）、他の条件設定の影枚数を減算する（ステップＳ１００９。ステップＳ１００９は、本発明における同一種別の撮像画像の依頼枚数よりも多い場合に、前記同一種別とは異なる種別における前記依頼枚数を減らす変更手段の一例である）。その後、ステップＳ１０１０で、減算した旨の情報をふくむ承認通知を送信する（図１４Ａ１４００と図１４Ｂ１４０１の情報が含まれている不図示の図）。
【０２１０】
未達の他の条件設定がない場合（ステップＳ１００８：ＮＯ）、承認通知を送信する（ステップＳ１０１１）。
【０２１１】
図１８は、ステップＳ１０１３の処理の詳細を示す図であり、撮影制御装置１５０の撮影画像評価手順（否認手順）を示すフローチャートの一例を示す図である。
【０２１２】
ステップＳ１００３で評価結果が却下の場合にステップＳ１０１３の否認処理に移行する。
【０２１３】
ステップＳ１８０１において、制御部３０２はユーザにおいて配信画像が却下されたことから、ステップＳ９０７で特定したユーザと図１５の１５０１が一致するユーザの中から、一致する配信画像の却下カウント数である図１５における１５０４却下数を１増やす。
【０２１４】
ステップＳ１８０２において、制御部３０２は評価結果の情報に図１３の却下時に他の撮影者へ依頼チェックボックス１３０４が選択されていた場合（Ｓ１８０２：ＹＥＳ）、ステップＳ１８０９に移行する（ステップＳ１８０９は本発明における、前記撮影者端末への撮影依頼を取り止めて前記撮影者端末とは異なる他の撮影者が操作する撮影者端末に撮影依頼の切替指示を示す撮影依頼切替情報を受信する切替受信手段の一例である）。一方、選択されていない場合（Ｓ１８０２：ＮＯ）、ステップＳ１８０３に移行する。
【０２１５】
ステップＳ１８０３において、制御部３０２は撮影条件における条件設定確認を行い、撮影条件を満たしていない場合（Ｓ１８０３：ＮＯ）、ステップＳ１８０８に移行する。一方、条件を満たしている場合（Ｓ１８０３：ＹＥＳ）、ステップＳ１８０４に移行する。
【０２１６】
ステップＳ１８０４において、制御部３０２は撮影条件における条件設定の期間を過ぎたかの確認を行い、期間を過ぎていない場合（Ｓ１８０４：ＮＯ）、ステップＳ１８０８に移行する。一方、条件を満たしている場合（Ｓ１８０４：ＹＥＳ）、ステップＳ１８０５に移行する。
【０２１７】
ステップＳ１８０５において、制御部３０２は未達成の他の条件設定があるか否かを判定し、他の条件設定がないと判定された場合には（ステップＳ１８０５：ＮＯ）、ステップＳ１８０８に移行する。一方、未達成の他の条件設定があると判定された場合には（ステップＳ１８０５：ＹＥＳ）、ステップＳ１８０６に移行する。未達成は、条件１５０３の分母と分子の値の一致を判定する。分子が分母より小さい場合には、未達成と判定する。
【０２１８】
ステップＳ１８０６において、制御部３０２は、他の条件設定へ枚数を増やす。（図１５の配信枚数、承認枚数の分母の値が変わる）
【０２１９】
ステップＳ１８０７において、制御部３０２は、増算した旨の情報を含む却下通知を送信する。（図１９Ｂ）
【０２２０】
図１９Ｂは、本発明の実施形態における、撮影画像配信装置の撮影画像増算のメッセージ例を示す図である。
【０２２１】
撮影画像増算メッセージ１９０２は、撮影制御装置１５０から撮影画像配信装置１２０と撮影画像受信装置１６０へ通知される画面である。
【０２２２】
ステップＳ１８０８において、制御部３０２は、撮影画像配信装置１２０へ却下通知を送信する。（図１９Ａ）
【０２２３】
図１９Ａは、本発明の実施形態における、撮影制御装置の配信画像却下のメッセージ例を示す図である。
【０２２４】
実施形態にかかわる撮影画像受信装置の配信画像却下のメッセージ例を示す図である。
【０２２５】
却下通知１９０１は、ユーザが撮影画像受信装置にて却下した際に、撮影制御装置から撮影画像配信装置１２０へ通知される画面である。
【０２２６】
ステップＳ１８０９において、制御部３０２は、他の撮影者の配信画像一覧画面１５００に対応するデータテーブルに、却下されたユーザ名１５０１の図１５の１５０１〜１５０７の条件設定を移行する。
【０２２７】
ステップＳ１８１０において、制御部３０２は、却下通知と撮影依頼を送信する。（図１９Ａと一緒に撮影依頼を送信する）撮影者に却下通知（図１９Ａ）を送信する。他の撮影者に、ステップＳ１８０９で移行された条件設定が含まれた撮影依頼を送信する。
【０２２８】
以上で図１８の説明を終了する。
【０２２９】
以上が第１の実施例の説明である。次に本発明の第２の実施例について説明する。第１の実施例と異なる点は、ステップＳ１０１３の処理の内容である。
【０２３０】
図２１は、撮影画像配信装置１２０から撮影画像を撮影制御装置１５０に登録時の画面の一例を示す図である。
【０２３１】
第一の実施例では、撮影者は連続して様々な被写体を撮影し、撮影と同時に撮影者は意識せず撮影制御装置１５０へ撮影画像をアップロードし、撮影制御装置１５０が撮影画像からユーザの特定と条件の特定を実行するが、第二の実施例では、撮影者が意識せず撮影制御装置１５０へ撮影画像をアップロードするのではなく、撮影画像登録画面２１００（図２１）から撮影画像を撮影制御装置１５０に登録時に撮影者の指示を受け付ける実施例である。
【０２３２】
図２１の、撮影画像配信装置１２０から撮影画像と撮影制御装置１５０へ登録する画面２１００は、ユーザ名の入力欄２１０１と、参照されたユーザに紐付いている指定画像の表示欄と、撮影条件入力欄２１０２と、撮影画像の入力欄２１０３と、配信状況欄２１０４と、送信ボタン２１０５と、キャンセルボタン２１０６とが表示される。
【０２３３】
ユーザ名の入力欄２１０１は、参照ボタンが押下されることで、撮影制御装置１５０の外部メモリ２１１などに記憶されたユーザ名の一覧画面（不図示）を表示し、当該ユーザ名の一覧画面を介して、ユーザによりユーザ名の選択を受け付けると、当該選択されたユーザ名が入力欄２１０１に入力される。入力されたユーザに紐付いている指定画像が指定画像欄に表示される。
【０２３４】
撮影画像の入力欄２１０３は、撮影依頼時の画面２０００（図２０）にて入力された撮影条件が表示される。ユーザにより当該撮影条件の選択を受け付けると、選択された条件が選択される。この例では、条件Ａ、条件Ｂ、条件Ｃが図２０で登録されている例であり、２１０２には条件Ａ、条件Ｂ、条件Ｃが選択できるように表示されている。
【０２３５】
撮影画像の入力欄２１０１は、参照ボタンが押下されることで、撮影制御装置１５０の外部メモリ２１１などに記憶された撮影画像の一覧画面（不図示）を表示し、当該撮影画像の一覧画面を介して、ユーザにより撮影画像の選択を受け付けると、当該選択された撮影画像が撮影条件２１０３に入力される。
【０２３６】
次に、撮影画像配信装置１２０は、ユーザによる、送信ボタン２１０５の押下を受け付けると、ステップＳ６０１で選択された撮影画像を撮影制御装置１５０の情報管理部３０３に記憶する。キャンセルボタン２１０６を押下されることで、撮影画像を撮影制御装置１５０へ登録時の処理がキャンセルされる。
【０２３７】
図２２は、第２の実施例における撮影制御装置１５０の撮影画像評価手順（否認手順）を示すフローチャートの一例を示す図であり、図１０のステップＳ１０１３の処理の詳細を示す図である。
【０２３８】
ステップＳ２２０１において、制御部３０２はユーザにおいて配信画像が却下されたことから、配信画像の却下カウント数である図１５における却下数１５０４を１増やす。
【０２３９】
次にステップＳ２２０２において、制御部３０２は評価結果の情報に図１３の却下時に他の撮影者へ依頼チェックボックス１３０４が選択されているか否かを判定し、他の撮影者に依頼すると判定された場合（ステップＳ２２０２：ＹＥＳ）、他の撮影者に条件設定を移行する（ステップＳ２２１０）。そして、却下通知と撮影依頼を撮影画像配信装置１２０に送信する（ステップＳ２２１１）。
【０２４０】
一方、他の撮影者に依頼すると判定されなかった場合（ステップＳ２２０２：ＮＯ）、ステップＳ２２０３に移行する。
【０２４１】
ステップＳ２２０３において、制御部３０２は撮影条件における条件設定確認を行い、撮影条件を満たしているか否かを判定する。撮影条件を満たしていると判定された場合（ステップＳ２２０３：ＹＥＳ）、却下通知を送信する（ステップＳ２２１２）。撮影条件を満たしているとは、図１５の１５０５の条件承認数の分子が分母より大きいかあるいは等しい場合である。
【０２４２】
一方、撮影条件を満たしていないと判定された場合（ステップＳ２２０３：ＮＯ）、条件設定の期間を過ぎたか否か設定可能な却下通知（図１９Ａに条件設定の期間が過ぎた（経過）か否かの設定をできる設定を追加されている付図示の図）を送信（ステップＳ２２０４）する。撮影条件を満たしていないとは、分子が分母より小さい場合である。その後、応答確認を行い（ステップＳ２２０５）、期間が過ぎているか否か（撮影者端末からの前記同一種別の撮影終了の指示を受け付けたかの条件）の判定を行う（ステップＳ２２０６）。
【０２４３】
期間が過ぎていると判定された場合（ステップＳ２２０６：ＹＥＳ）、未達の他の条件設定があるか否かを判定する。他の条件設定があると判定された場合（ステップＳ２２０７：ＹＥＳ）、他の条件設定へ撮影枚数が足りない分の枚数を増やす（ステップＳ２２０８）。その後、ステップＳ２２０９で、増算した旨の情報をふくむ却下通知を送信する（図１９Ａと図１９Ｂの情報が含まれている付図示の図）。
【０２４４】
以上、本発明によると撮影者端末により撮影された撮影依頼と異なる画像が、撮影依頼された写真として登録される可能性を低減できる。
【０２４５】
以上、本発明の実施形態を詳述したが、本発明は、例えば、システム、装置、方法、装置が実行可能なプログラムもしくは記憶媒体等としての実施態様をとることが可能であり、具体的には、複数の機器から構成されるシステムに適用しても良いし、また、一つの機器からなる装置に適用しても良い。
【０２４６】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０２４７】
この場合、記憶媒体から読み出されたプログラムコード自体が前述した実施形態の機能を実現することになり、プログラムコード自体及びそのプログラムコードを記憶した記憶媒体は本発明を構成することになる。
【０２４８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０２４９】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。
【０２５０】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【符号の説明】
【０２５１】
１１０  撮影装置
１２０  撮影画像配信装置
１５０  撮影制御装置
１６０  撮影画像受信装置
【図１】
2017112481.tif 000003
【図２】
2017112481.tif 000004
【図３】
2017112481.tif 000005
【図４】
2017112481.tif 000006
【図５】
2017112481.tif 000007
【図６】
2017112481.tif 000008
【図７】
2017112481.tif 000009
【図８】
2017112481.tif 000010
【図９】
2017112481.tif 000011
【図１０】
2017112481.tif 000012
【図１１】
2017112481.tif 000013
【図１２】
2017112481.tif 000014
【図１３】
2017112481.tif 000015
【図１４Ａ】
2017112481.tif 000016
【図１４Ｂ】
2017112481.tif 000017
【図１４Ｃ】
2017112481.tif 000018
【図１５】
2017112481.tif 000019
【図１６】
2017112481.tif 000020
【図１７】
2017112481.tif 000021
【図１８】
2017112481.tif 000022
【図１９Ａ】
2017112481.tif 000023
【図１９Ｂ】
2017112481.tif 000024
【図２０】
2017112481.tif 000025
【図２１】
2017112481.tif 000026
【図２２】
2017112481.tif 000027
【図２３】
2017112481.tif 000028